(57)【要約】【課題】  買い物時において購入商品の分別収納が可能であるとともに、持ち運びが容易で、しかも、構造も簡素な分離式買い物用バッグを提供すること。【解決手段】  販売店舗で使用される買い物かごＢ内に袋口を開いて、購入商品を収納可能な状態に装着される買物用バッグであって、夫々のバッグが手提げ部11を備えた一対のバッグ本体１・１が前記買い物かごＢ内に隣接状態で装着可能である一方、当該装着時において両方のバッグ本体１・１で形成する開口部12ａ・12ｂの口径及び収納部13ａ・13ｂの大きさは買い物かごＢのそれと略一致し、さらに、バッグ本体１・１の隣向面には互いを着脱自在に連結する連結部材２を配設して構成した。【選択図】  図１
2007252430.tif 000002
【特許請求の範囲】
【請求項１】
販売店舗で使用される買い物かごＢ内に袋口を開いて、購入商品を収納可能な状態に装着される買物用バッグであって、
夫々のバッグが手提げ部11を備えた一対のバッグ本体１・１が前記買い物かごＢ内に隣接状態で装着可能である一方、当該装着時において両方のバッグ本体１・１で形成する開口部12ａ・12ｂの口径及び収納部13ａ・13ｂの大きさは買い物かごＢのそれと略一致し、さらに、バッグ本体１・１の隣向面には互いを着脱自在に連結する連結部材２を配設して構成されていることを特徴とする分離式買い物用バッグ。
【請求項２】
一対のバッグ本体１・１が同一の形態で作製されていることを特徴とする請求項１記載の分離式買い物用バッグ。
【請求項３】
バッグ本体１の口縁の少なくとも一方には、装着時に買い物かごＢの両端外側に垂らすことで開口部12の全開状態を保持する掛布蓋３が口縁に沿って付設されていることを特徴とする請求項１または２に記載の分離式買い物用バッグ。
【請求項４】
バッグ本体１における襠側の口縁近傍に掛布蓋３が付設され、さらに、この掛布蓋２には、折り畳んだ、または、丸めた状態のバッグ本体１を収納可能な袋部31が設けられていることを特徴とする請求項１〜３の何れか一つに記載の分離式買い物用バッグ。
【請求項５】
連結部材２として、面着ファスナーが用いられていることを特徴とする請求項１〜４の何れか一つに記載の分離式買い物用バッグ。
【発明の詳細な説明】
【技術分野】
【０００１】
本発明は、買い物用バッグの改良、詳しくは、買い物時における購入商品の購入収納及びその持ち運びに便利で、しかも、構造も簡素な分離式買い物用バッグに関するものである。
【背景技術】
【０００２】
周知のとおり、最近では、販売店舗に置いてあるビニール製の買い物袋を使用せずに、自前の買い物バッグを持参して購入商品を容れて持ち帰るのが一般的である。
【０００３】
そして、従来においては、このような買い物バッグに関して、販売店舗の買い物かごと略同じ大きさの手提げバッグを全開状態で買い物かごに装着して、精算時にレジ員がかごを入れ変える際に、自分の買い物バッグ内に容れて貰うようにしたものが提案されている（例えば、特許文献１参照）。
【０００４】
ところで、スーパーマーケット等で購入した商品を収容する際には、購入商品の形状は勿論、商品の特性も考慮して収容の仕方を工夫する必要がある。というのも、例えば、焼きたてパン等の温かい商品と冷凍食品等の冷たい商品とを重ねて収容すると、相互に熱が浸透して商品が台無しになってしまう。また他にも、生卵等の脆質な商品と缶詰等の硬質な商品とが混ざった状態で収容されると、運搬中に生じる震動によって商品同士がぶつかり合って、生卵が割れてしまう等、脆い商品が傷付いてしまうことが多い。
【０００５】
ところが、上記の従来技術では、これらを分別して収容するには、わざわざバッグ内部を隔壁で仕切らねばならず、その際設ける隔壁には、熱が浸透しにくく、運搬中に商品の衝撃が伝わらないような比較的分厚いものを採用する必要があったため、非常に面倒であるとともに、バッグの収容量を存分に活かしきることができなかった。
【０００６】
さらに、上記の従来技術においては、買い物かご一杯の商品を収容した場合、バッグがかなり重たくなってしまい、片手での持ち運びに大変な労力を必要としただけでなく、特に腕力の乏しい女性や老人に関しては持ち運ぶこと自体が厳しかった。加えて、バッグを片手だけで持って歩くと、歩行姿勢が崩れてしまうため、非常に持ち運び難かった。
【０００７】
一方で、片手で持ち運び易い収容量に抑えた小型または細型の形態に買い物バッグを作製すると、バッグの開口部分が買い物かごの上部に比べて狭くなってしまい、レジ員が商品を入れ難くなってしまうことから、＜特許文献２＞のようにバッグの開口部分を拡開して買い物かごの上部と大きさを合わせる必要があった。
【０００８】
しかしながら、このような開口部分の拡開手段を買い物バッグに設けるとバッグの構造が複雑になって製造コストが嵩むだけでなく、開口部分を拡開して買い物かごに装着したときにバッグの収容量が正確に把握できなくなってしまい、過剰に商品を入れ過ぎてファスナーがしまらなくなってしまう等、機能的に難点があった。
【特許文献１】特開２００１−８７０２２公報（第２−７頁、第１−７図）
【特許文献２】特開１１−１５７５５４公報（第２−４頁、第１−７図）
【発明の開示】
【発明が解決しようとする課題】
【０００９】
本発明は、上記の如き問題に鑑みて為されたものであり、その目的とするところは、買い物時において購入商品の分別収納が可能であるとともに、持ち運びが容易で、しかも、構造も簡素な分離式買い物用バッグを提供することにある。
【課題を解決するための手段】
【００１０】
本発明者が、上記課題を解決するために採用した手段を添付図面を参照して説明すれば次のとおりである。
【００１１】
即ち、本発明は、販売店舗で使用される買い物かごＢ内に袋口を開いて、購入商品を収納可能な状態に装着される買物用バッグであって、
夫々のバッグが手提げ部11を備えた一対のバッグ本体１・１が前記買い物かごＢ内に隣接状態で装着可能である一方、当該装着時において両方のバッグ本体１・１で形成する開口部12ａ・12ｂの口径及び収納部13ａ・13ｂの大きさは買い物かごＢのそれと略一致し、さらに、バッグ本体１・１の隣向面には互いを着脱自在に連結する連結部材２を配設して構成した点に特徴がある。
【００１２】
また、本発明においては、上記課題を解決するために、必要に応じて上記手段に加え、一対のバッグ本体１・１を同一の形態で作製するという技術的手段を採用することができる。
【００１３】
また、本発明においては、上記課題を解決するために、必要に応じて上記手段に加え、バッグ本体１の口縁の少なくとも一方には、装着時に買い物かごＢの両端外側に垂らすことで開口部12の全開状態を保持する掛布蓋３を口縁に沿って付設するという技術的手段を採用することができる。
【００１４】
また、本発明においては、上記課題を解決するために、必要に応じて上記手段に加え、バッグ本体１における襠側の口縁近傍に掛布蓋３を付設し、さらに、この掛布蓋２には折り畳んだ、または、丸めた状態のバッグ本体１を収納可能な袋部31を設けるという技術的手段を採用することができる。
【００１５】
また、本発明においては、上記課題を解決するために、必要に応じて上記手段に加え、連結部材２として、面着ファスナーを用いるという技術的手段を採用することができる。
【発明の効果】
【００１６】
本発明の買い物用バッグでは、買い物かごに隣接して装着可能な一対のバッグ本体で全体を構成したことによって、買い物かごに装着した際に二つの収容部を形成することができるため、夫々の収納部に対して購入した商品をその特性に合わせて分別して収容することが可能となる。
【００１７】
加えて、バッグ本体同士を連結部材により着脱自在に形成したことによって、商品収容後は、連結したバッグ本体を引き離して別個に持ち運ぶことができるため、分別収納した商品が運搬途中で影響し合うようなことはなく、購入商品を傷つけずに持ち帰ることができる。
【００１８】
さらに、バッグ本体が二つに分離することで、荷物の重量も分割されるため、買い物かご一杯の商品を収容したとしても、夫々のバッグ本体が片手で持てる程度の重さに調整でき、しかも、夫々のバッグ本体を両手でバランス良く持ち運ぶことができる。
【００１９】
また、一対のバッグ本体とこれらを連結する連結部材とで構成したことにより、構造を簡素化でき、製造コストを低減化することができる。
【００２０】
したがって、本発明により、購入商品の品質を保護したまま持ち帰ることができ、持ち帰りでかかる労力も少ない理想的な買い物用バッグを提供することができるため、本発明の実用的利用価値は頗る高い。
【発明を実施するための最良の形態】
【００２１】
『第１実施形態』
まず、本発明の第１実施形態について、図１から図４に基いて説明する。まず、符号１で指示するものは安価な合成樹脂シートで作製されたバッグ本体である。そして、符号２で指示するものは、連結部材であり、符号３で指示するものは、掛布蓋である。なお、念のためにここに「掛布蓋」というのは、必ずしも布を意味せずシート状の面状体を意味する。
【００２２】
しかして、本実施形態の構成を以下に説明する。まず、本実施形態では、夫々が手提げ部11を備えた一対のバッグ本体１・１を作製した（図１参照）。そして、このバッグ本体１・１は、買い物かごＢ内に隣向状態で装着でき、さらに、装着時において両方のバッグ本体１・１が形成する開口部12ａ・12ｂの口径及び収納部13ａ・13ｂの大きさが買い物かごＢのそれと略一致するように形成した（図２参照）。なお、バッグ本体１・１は、装着時に、買い物かごＢを縦に二分割して細長い商品を収容し易い形状にしている。
【００２３】
さらに、バッグ本体１・１の隣向面には互いを着脱自在に連結する連結部材２を配設した。なお、連結部材２には面着ファスナーを採用して、バッグ本体１・１の着脱作業を簡単に行えるようにした。
【００２４】
また、本実施形態においては、一対のバッグ本体１・１を同一の形態にしており、これによって、両バッグ本体１・１を同一の製造方法で作製することができるため、製造費を軽減できる。
【００２５】
上記のように、一対のバッグ本体１・１を買い物かごＢに隣接状態で装着できるように作製したことによって、装着時に二つに隔てられた収容部13ａ・13ｂを形成することができるため、夫々の収納部13ａ・13ｂに対して購入した商品をその特性に合わせて分別収容することが可能となる。
【００２６】
加えて、購入商品を分別して収容した後は、図３の(ａ)及び(ｂ)で示すように、バッグ本体１・１を引き離して別個に持ち運ぶことができることから、分別収容した商品が運搬途中で影響し合うようなことはなく、商品を傷つけずに持ち帰ることができる。
【００２７】
さらに、バッグ本体が二つに分離することで、荷物の重量を二分割できるため、買い物かご一杯の商品を収容したとしても、夫々のバッグ本体１・１を片手で持てる程度の重さに調整でき、しかも、夫々のバッグ本体を両手でバランス良く持ち運ぶことができる。
【００２８】
また、一対のバッグ本体１・１とこれらを連結する連結部材２とによって全体を構成したことにより、構造を簡素化できるため、製造に係るコストを低減化することができる。
【００２９】
そして、本実施形態においては、バッグ本体１・１の口縁の少なくとも一方に、装着時において買い物かごＢの両端外側に垂らすことで開口部12の全開状態を保持する掛布蓋３を口縁に沿って付設した。
【００３０】
これにより、レジ員が商品を移し変えているときに、バッグ本体１の口縁が内側に傾いて開口部12が狭まることはないため、狭まった開口部12を全開状態へと戻す煩わしい作業が不要となる。
【００３１】
また、それだけでなく、この掛布蓋３が、買い物かごＢ外側に垂れ下がっていることによって、装着したバッグ本体１と買い物かごＢとの隙間をなくすことができるため、この隙間に商品が誤って入ってしまうような面倒な事態が起ることはない。
【００３２】
しかも、商品収容後において、掛布蓋３を商品が覆われた状態でバッグ本体１内に戻せば、購入商品が外観上に露出することはないため、使用者のプライバシーを護ることができる。
【００３３】
なお、掛布蓋３はバッグ本体１と同じ材料でバッグ本体１の巾側口縁に一体的に形成することで、構造の簡素さを保っている。
【００３４】
そしてまた、本実施形態では、バッグ本体１における襠側の口縁近傍に掛布蓋３を付設し、さらに、この掛布蓋２には、折り畳んだ、または、丸めた状態のバッグ本体１を収納可能な袋部31を形成した。
【００３５】
これにより、図４に示すように、不使用時はバッグ本体１・１の大きさをコンパクト化することができるため、収納上、非常に都合が良い。
【００３６】
『第２実施形態』
次に、本発明の第２実施形態について図５及び図６に基いて説明する。まず、本実施形態においては、バッグ本体１・１を買い物かごＢに装着した際に、買い物かごを横に二分割する形状に作製し、横幅があって、なおかつ縦置きができない食品トレイ等の商品でもバッグ本体１内に収容できるように構成した（図５参照）。そして、連結部材２には、スナップを採用してバッグ本体１・１同士における連結強度の持続性を向上させた。
【００３７】
そして、掛布蓋３は、連結部材２と同様のスナップを固定部材32として用いてバッグ本体１に対して着脱自在に付設した。これにより、掛布蓋３が不必要なときは、容易に取り外してバッグをシンプルな形状へと変更することができる。
【００３８】
さらに、本実施形態では、バッグ本体１口縁の長手部分に設けた掛布蓋３に袋部31を形成することによって、不使用時においてバッグ本体１を図６に示すような棒状の形態でコンパクトに収納することができる。
【００３９】
本発明は、概ね上記のように構成されるが、図示の実施形態に限定されるものでは決してなく、「特許請求の範囲」の記載内において種々の変更が可能であって、例えば、バッグ本体１の材料には、合成樹脂シートだけでなく、収容物によって破れない程度の強靱性を有していれば、動物繊維や植物繊維から成る布地、若しくは皮革、ゴム材等を採用してもよい。
【００４０】
また、バッグ本体１の外面にカラフルな装飾を施してファッション性を高めることにより、オシャレなトートバッグとして買い物以外の用途でも使用できるようにしてもよい。
【００４１】
そしてまた、連結部材２も、面着ファスナーやスナップに限らず、フック材等の着脱自在に係止できるものならば何れを選択してもよく、何れも本発明の技術的範囲に属する。
【産業上の利用可能性】
【００４２】
最近では、石油資源の枯渇が大きな問題となっており、これに起因して石油製品であるビニール製買い物袋の使用を控える運動が活発化してきている。そのため、買い物袋と異なり繰り返して使用でき、なおかつ、買い物という用途に適したバッグが市場において強く求められている。ところが、未だに、需要者が納得できる収容性及び運搬性を兼ね備えた買い物用バッグは見受けることができない。
【００４３】
そのような中で、本発明の分離式買い物用バッグは、商品の特性を重視した分別収納及び運搬を行うことができ、しかも、商品を収容して重くなったバッグを苦なく持ち運べるという使用者の立場に立って為された画期的な技術であることから、市場における需要は非常に大きく、本発明の産業上の利用価値は非常に高いと云える。
【図面の簡単な説明】
【００４４】
【図１】本発明の第１実施形態における買い物用バッグを表わす全体斜視図である。
【図２】本発明の第１実施形態における買い物用バッグの買い物かごへの装着状態を表わす説明斜視図である。
【図３】本発明の第１実施形態における買い物用バッグの使用状態を表わす説明斜視図である。
【図４】本発明の第１実施形態における買い物用バッグの不使用時の状態を表わす全体斜視図である。
【図５】本発明の第２実施形態における買い物用バッグを表わす全体斜視図である。
【図６】本発明の第２実施形態における買い物用バッグの不使用時の状態を表わす全体斜視図である。
【符号の説明】
【００４５】
１  バッグ本体
11  手提げ部
12  開口部
13  収納部
２  連結部材
３  掛布蓋
31  袋部
32  固定部材
【図１】
2007252430.tif 000003
【図２】
2007252430.tif 000004
【図３】
2007252430.tif 000005
【図４】
2007252430.tif 000006
【図５】
2007252430.tif 000007
【図６】
2007252430.tif 000008